(57)【要約】【課題】  光学センサを用いずに、排紙量を検出することができるシシュレッダーを提供する。【解決手段】  紙を細断するカッターモータ１のＯＮ時間を計測するタイマー２と、タイマー２の計測時間を記憶する計測時間記憶部４と、計測時間記憶部４で記憶された計測時間を積算した積算時間を記憶する積算時間記憶部５と、積算時間記憶部５に記憶された積算時間Ｔと予め設定された排紙満杯予測時間Ｎとを比較して判定する判定部６と、判定部６において積算時間が排紙満杯予測時間Ｎを超えたと判別したときに、その旨を表示出力する表示出力部７とを備えるようにした。【選択図】  図１
2007014884.tif 000002
【特許請求の範囲】
【請求項１】
紙を細断するカッターモータのＯＮ時間を計測するタイマーと、該タイマーの計測時間を記憶する計測時間記憶部と、該計測時間記憶部で記憶された計測時間を積算した積算時間を記憶する積算時間記憶部と、該積算時間記憶部に記憶された積算時間と予め設定された排紙満杯予測時間とを比較して判定する判定部と、該判定部において前記積算時間が前記排紙満杯予測時間を超えたと判別したときに、その旨を表示出力する表示出力部と、を備えたことを特徴とするシュレッダー装置。
【請求項２】
請求項１に記載のシュレッダー装置において、前記判定部において前記積算時間が前記排紙満杯予測時間を超えたと判別したときに、その旨を音声出力する音声出力部をさらに備えたことを特徴とするシュレッダー装置。
【請求項３】
請求項１又は請求項２に記載のシュレッダー装置において、前記判定部において前記積算時間が前記排紙満杯予測時間を超えたと判別したときに、前記カッターモータを停止させる停止手段を備えることを特徴とするシュレッダー装置。
【発明の詳細な説明】
【技術分野】
【０００１】
本発明は、紙を細断するシュレッダー装置に関する。
【背景技術】
【０００２】
従来の紙を細断するシュレッダーにおいては、光学センサを用いて、排紙収容箱に溜まる排紙の量を検出しているが、排紙時の紙粉等がセンサの発光、受光、両レンズの表面に付着し、センサが誤動作する場合がある。そのため、レンズについた紙粉等を除去する機構を用いる等、様々な対策が練られている（例えば特許文献１参照）。
【特許文献１】特許第３４５０９８１号
【発明の開示】
【発明が解決しようとする課題】
【０００３】
上述したように、シュレッダーにおいて、排紙量を検出するセンサのレンズをクリーニングする技術は提案されているが、クリーニング装置が必要となり、装置が大型化するとともに、そのメンテナンスも必要となり、クリーニング性能にも限界があった。
本発明では、光学センサを用いずに、排紙量を検出することができるシュレッダーを提供することを目的とする。
【課題を解決するための手段】
【０００４】
上記目的を達成するために、請求項１記載の発明は、紙を細断するカッターモータのＯＮ時間を計測するタイマーと、該タイマーの計測時間を記憶する計測時間記憶部と、該計測時間記憶部で記憶された計測時間を積算した積算時間を記憶する積算時間記憶部と、該積算時間記憶部に記憶された積算時間と予め設定された排紙満杯予測時間とを比較して判定する判定部と、該判定部において前記積算時間が前記排紙満杯予測時間を超えたと判別したときに、その旨を表示出力する表示出力部と、を備えたことを特徴とする。
請求項２記載の発明は、請求項１に記載のシュレッダー装置において、前記判定部において前記積算時間が前記排紙満杯予測時間を超えたと判別したときに、その旨を音声出力する音声出力部をさらに備えたことを特徴とする。
請求項３記載の発明は、請求項１又は請求項２に記載のシュレッダー装置において、前記判定部において前記積算時間が前記排紙満杯予測時間を超えたと判別したときに、前記カッターモータを停止させる停止手段を備えることを特徴とする。
【発明の効果】
【０００５】
本発明のシュレッダー装置によれば、カッターモータのＯＮ時の積算時間と予め設定された排紙満杯予測時間とを比較し、判定部により積算時間が排紙満杯予測時間を超えると、その旨を出力することで、使用者に排紙収容箱が満杯であることを知らせることができ、排紙収容箱が満杯になることで引き起こされる排出口の紙詰まりを未然に防ぐことができる。また使用者に排紙収容箱の清掃を促し、未然に故障を防ぐことができる。
また、請求項３のシュレッダー装置によれば、判定部によりカッターモータのＯＮ時の積算時間が排紙満杯予測時間を超えると強制的にカッターモータをＯＦＦすることにより、排紙収容箱が満杯になることで引き起こされる排出口の紙詰まりを未然により強く防ぐことができる。
【発明を実施するための最良の形態】
【０００６】
以下、図面を参照して、本発明の実施形態を詳細に説明する。
図１は本発明の実施形態に係るシュレッダー装置の機能ブロック図である。本シュレッダー装置は、カッターモータ１、タイマー２、主制御部３、計測時間記憶部４、積算時間記憶部５、判定部６、表示出力部７、音声出力部８で構成される。
カッターモータ１は、シュレッダー装置の図示しないカッターを駆動する。タイマー２は、カッターモータ１の駆動時間を計測する。主制御部３は、ＣＰＵなどで構成され、シュレッダー装置全体の制御を行う。計測時間記憶部４は、タイマー２で計測された計測時間ｔを記憶する。積算時間記憶部５は計測時間記憶部４で記憶された計測時間ｔを主制御部３で積算し、積算された積算時間値Ｔを記憶する。
判定部６は積算時間記憶部５で記憶された積算時間値Ｔと、予め設定された排紙満杯予測時間Ｎとを比較する。表示出力部７は、判定部６でＴ＞Ｎとなる場合に表示を出力する。音声出力部８は、判定部６でＴ＞Ｎとなる場合に音声を出力する。
【０００７】
図２は図１に示すシュレッダー装置の第１の動作例に係るフローチャートである。まず、ステップＳ１では、紙がカッター付近に給紙され、カッターモータ１が動作すると、動作の情報が主制御部３に伝達される。ステップＳ２では、ステップＳ１で伝達されたカッターモータ動作情報により、主制御部３からタイマー２が作動するよう制御する。
ステップＳ３では、排紙が終わると、カッターモータ１がＯＦＦになるよう主制御部３で制御する。ステップＳ４では、タイマー２が計測した計測時間ｔを計測時間記憶部４に記憶する。ステップＳ５では、計測時間記憶部４に記憶された計測時間ｔを呼び出し、主制御部３で積算時間Ｔ＝Ｔ＋ｔを計算する。ステップＳ６では、主制御部３で計算されたＴを積算時間記憶部５に記憶する。
ステップＳ７では、積算時間記憶部５から積算時間Ｔを呼び出し、判定部６において、予め設定された排紙満杯予測時間Ｎと大小比較する。Ｔ＜Ｎの場合、ステップＳ８へ進む。ステップＳ８では、計測時間記憶部４から計測時間ｔを呼び出し、主制御部３により、計測時間ｔ＝０に初期化し、ステップＳ１へとループする。Ｔ≧Ｎの場合、ステップＳ９へ進む。ステップＳ９では、表示出力部７により、図示しない排紙収容箱が満杯であることを表示する。
【０００８】
図３は図１に示すシュレッダー装置の第２の動作例に係るフローチャートである。まず、ステップＳ１では、紙がカッター付近に給紙され、カッターモータ１が動作すると、動作の情報が主制御部３に伝達される。ステップＳ２では、ステップＳ１で伝達されたカッターモータ動作情報により、主制御部３からタイマー２が作動するよう制御する。
ステップＳ３では、排紙が終わると、カッターモータ１がＯＦＦになるよう主制御部３で制御する。ステップＳ４では、タイマー２が計測した計測時間ｔを計測時間記憶部４に記憶する。ステップＳ５では、計測時間記憶部４に記憶された計測時間ｔを呼び出し、主制御部３で積算時間Ｔ＝Ｔ＋ｔを計算する。ステップＳ６では、主制御部３で計算された積算時間Ｔを積算時間記憶部５に記憶する。
ステップＳ７では、積算時間記憶部５から積算時間Ｔを呼び出し、判定部６において、予め設定された排紙満杯予測時間Ｎと大小比較する。Ｔ＜Ｎの場合、ステップＳ８へ進む。ステップＳ８では、計測時間記憶部４から計測時間ｔを呼び出し、主制御部３により、計測時間ｔ＝０に初期化し、ステップＳ１へとループする。Ｔ≧Ｎの場合、ステップＳ９へ進む。ステップＳ９では、表示出力部７により、排紙収容箱が満杯であることを表示する。ステップＳ１０では、音声出力部８より音声を出力する。
【０００９】
図４は、図１に示すシュレッダー装置の第３の動作例に係るフローチャートである。まず、ステップＳ１では、紙がカッター付近に給紙され、カッターモータ１が動作すると、動作の情報が主制御部３に伝達される。ステップＳ２では、ステップＳ１で伝達されたカッターモータ動作情報により、主制御部３からタイマー２が作動するよう制御する。
ステップＳ３では、排紙が終わると、カッターモータ１がＯＦＦになるよう主制御部３で制御する。ステップＳ４では、タイマー２が計測した計測時間ｔを計測時間記憶部４に記憶する。ステップＳ５では、計測時間記憶部４に記憶された計測時間ｔを呼び出し、主制御部３で積算時間Ｔ＝Ｔ＋ｔを計算する。ステップＳ６では、主制御部３で計算された積算時間Ｔを積算時間記憶部５に記憶する。
ステップＳ７では、積算時間記憶部５から積算時間Ｔを呼び出し、判定部６において、予め設定された排紙満杯予測時間Ｎと大小比較する。Ｔ＜Ｎの場合、ステップＳ８へ進む。ステップＳ８では、計測時間記憶部４から計測時間ｔを呼び出し、主制御部３により、計測時間ｔ＝０に初期化し、ステップＳ１へとループする。Ｔ≧Ｎの場合、ステップＳ９へ進む。ステップＳ９では、表示出力部７により、排紙収容箱が満杯であることを表示する。ステップＳ１１では、主制御部３から、カッターモータ１ＯＦＦに制御する。
【図面の簡単な説明】
【００１０】
【図１】本発明の実施形態に係るシュレッダー装置の機能ブロック図である。
【図２】本実施形態に係るシュレッダー装置の第１の動作例に係るフローチャートである。
【図３】本実施形態に係るシュレッダー装置の第２の動作例に係るフローチャートである。
【図４】本実施形態に係るシュレッダー装置の第３の動作例に係るフローチャートである。
【符号の説明】
【００１１】
１  カッターモータ、２  タイマー、３  主制御部、４  計測時間記憶部、５  積算時間記憶部、６  判定部、７  表示出力部、８  音声出力部
【図１】
2007014884.tif 000003
【図２】
2007014884.tif 000004
【図３】
2007014884.tif 000005
【図４】
2007014884.tif 000006